(57)【要約】      （修正有）【課題】少ない目印で見た目が良く、かつ人数に応じての切断ができる台紙を提供する。【解決手段】円形状の台紙本体１と、この台紙本体１の載置物が載置される領域外に１箇所のみ設けられた第１のカット用目印６と、この台紙本体１の載置物が載置される領域外に設けられ、第１のカット用目印６を起点として台紙本体１の中心点９となす角度が３６０／ｎ度（ｎは３以上の整数）であると共に、一のｎの値に対して１箇所のみ設けられた第２のカット用目印８とを備える。【選択図】図１
2014037256.tif 000002
【特許請求の範囲】
【請求項１】
円形状の台紙本体と、
該台紙本体の載置物が載置される領域外に１箇所のみ設けられた第１のカット用目印と、
前記台紙本体の載置物が載置される領域外に設けられ、前記第１のカット用目印を起点として前記台紙本体の中心点となす角度が３６０／ｎ度（ｎは３以上の整数）であると共に、一のｎの値に対して１箇所のみ設けられた第２のカット用目印とを備える
台紙。
【請求項２】
方形状の台紙本体と、
該台紙本体の載置物が載置される領域外であり、前記載置物の端部から同載置物の長さの１／ｎ（ｎは３以上の整数）に相当する位置に設けられると共に、一のｎの値に対して１箇所のみ設けられたカット用目印とを備える
台紙。
【請求項３】
円形状の台紙本体と、
該台紙本体の載置物が載置される領域外に１箇所のみ設けられた第１のカット用目印と、
前記台紙本体の載置物が載置される領域外に設けられ、前記第１のカット用目印を起点として前記台紙本体の中心点となす角度が３６０×２ｍ／ｎ度（ｎは５以上の奇数であり、ｍは自然数である。但し、２ｍ＜ｎ−１  を満たす。）であると共に、一のｎの値に対して１箇所のみ設けられた第２のカット用目印とを備える
台紙。
【請求項４】
方形状の台紙本体と、
該台紙本体の載置物が載置される領域外であり、前記載置物の端部から同載置物の長さの２ｍ／ｎ（ｎは５以上の奇数であり、ｍは自然数である。但し、２ｍ＜ｎ−１  を満たす。）に相当する位置に設けられると共に、一のｎの値に対して１箇所のみ設けられたカット用目印とを備える
台紙。
【請求項５】
円形状の台紙本体と、
該台紙本体の載置物が載置される領域外に１箇所のみ設けられた第１のカット用目印と、
前記台紙本体の載置物が載置される領域外に設けられ、前記第１のカット用目印を起点として前記台紙本体の中心点となす角度が３６０×ｍ／ｎ度（ｎは３以上の整数であり、ｍは自然数である。但し、ｍ＜ｎ  を満たす。）であると共に、（ｎ−１）箇所に設けられた第２のカット用目印とを備える
台紙。
【請求項６】
前記ｎは、奇数である
請求項１、請求項２または請求項５に記載の台紙。
【発明の詳細な説明】
【技術分野】
【０００１】
本発明は、台紙に関する。詳しくはデコレーションケーキ、あるいはロールケーキ等を載せる台紙に係るものである。
【背景技術】
【０００２】
従来、デコレーションケーキやロールケーキ等は円形状、あるいは方形状のケーキ用台紙に載せられており、ケーキ用ナイフ等で人数分に応じて切り分けられる。
しかし、３人や５人などの人数の場合には、素人では等分に切り分けるのが非常に難しくなる。
【０００３】
ここで、ケーキを等分にカットし易くするために、例えば特許文献１に記載されたものが知られている。
具体的には、図６に示すように、底板１０１の上面には、この底板１０１の中心部１０２より外周方向に放射線状に上方向に凸状のガイド部１０３が底板１０１を均等に分割するように６個設けられている。
【０００４】
このガイド部１０３は、底板１０１に載置されたデコレーションケーキをカットするガイドラインとなりガイド部１０３に沿ってナイフ等で均等にケーキをカットすることが可能とされている。
【先行技術文献】
【特許文献】
【０００５】
【特許文献１】特開２０１０−１３１５９号公報
【発明の概要】
【発明が解決しようとする課題】
【０００６】
しかしながら、前記特許文献１に記載された発明では、デコレーションケーキを５個や７個にカットする場合には、予め５個や７個のガイド部を設けた底板を用意する必要が生じると共に、消費者が購入の際に人数を申し出なければならない。
【０００７】
また、カット数が多くなるほど底板のガイド部数が増えることから製作面において煩雑、かつコスト高となり、また見た目も悪くなる。
【０００８】
本発明は、以上の点に鑑みて創案されたものであって、見た目が良く、かつ人数に応じての切断ができる台紙を提供することを目的とするものである。
【課題を解決するための手段】
【０００９】
上記の目的を達成するために、本発明に係る台紙は、円形状の台紙本体と、該台紙本体の載置物が載置される領域外に１箇所のみ設けられた第１のカット用目印と、前記台紙本体の載置物が載置される領域外に設けられ、前記第１のカット用目印を起点として前記台紙本体の中心点となす角度が３６０／ｎ度（ｎは３以上の整数）であると共に、一のｎの値に対して１箇所のみ設けられた第２のカット用目印とを備える。
【００１０】
ここで、台紙本体の載置物が載置される領域外に第１のカット用目印が設けられたことによって、台紙本体にケーキ等の載置物が載置されたとしても第１のカット用目印を視認することができる。
【００１１】
同様に、台紙本体の載置物が載置される領域外に第２のカット用目印が設けられたことによって、台紙本体にケーキ等の載置物が載置されたとしても第２のカット用目印を視認することができる。
【００１２】
また、第１のカット用目印が１箇所のみに設けられると共に、第２のカット用目印が一のｎの値に対して１箇所のみに設けられたことによって、目印（第１のカット用目印及び第２のカット用目印）の数量を最小限に抑えることができる。
【００１３】
なお、第２のカット用目印が第１のカット用目印を起点として台紙本体の中心点となす角度が３６０／ｎ度であることによって、載置物をｎ等分することができる。
即ち、第１のカット用目印と台紙本体の中心点を結ぶ線で切断すると共に第２のカット用目印と台紙本体の中心点を結ぶ線で切断することで、載置物を１／ｎの大きさとすることができる。その後、１／ｎに切断された載置物の大きさを考慮し、残りの載置物を切断することで、載置物をｎ等分することができるのである。
【００１４】
また、上記の目的を達成するために、本発明に係る台紙は、方形状の台紙本体と、該台紙本体の載置物が載置される領域外であり、前記載置物の端部から同載置物の長さの１／ｎ（ｎは３以上の整数）に相当する位置に設けられると共に、一のｎの値に対して１箇所のみ設けられたカット用目印とを備える。
【００１５】
ここで、台紙本体の載置物が載置される領域外にカット用目印が設けられたことによって、台紙本体に載置物が載置されたとしてもカット用目印を視認することができる。
【００１６】
また、カット用目印が一のｎの値に対して１箇所のみ設けられたことによって、カット用目印の数量を最小限に抑えることができる。
【００１７】
なお、カット用目印が載置物の端部から同載置物の長さの１／ｎに相当する位置に設けられたことによって、載置物をｎ等分することができる。
即ち、カット用目印で切断することで載置物を１／ｎの大きさとすることができる。その後、１／ｎに切断された載置物の大きさを考慮し、残りの載置物を切断することで、載置物をｎ等分することができるのである。
【００１８】
また、上記の目的を達成するために、本発明に係る台紙は、円形状の台紙本体と、該台紙本体の載置物が載置される領域外に１箇所のみ設けられた第１のカット用目印と、前記台紙本体の載置物が載置される領域外に設けられ、前記第１のカット用目印を起点として前記台紙本体の中心点となす角度が３６０×２ｍ／ｎ度（ｎは５以上の奇数であり、ｍは自然数である。但し、２ｍ＜ｎ−１  を満たす。）であると共に、一のｎの値に対して１箇所のみ設けられた第２のカット用目印とを備える。
【００１９】
ここで、台紙本体の載置物が載置される領域外に第１のカット用目印が設けられたことによって、台紙本体にケーキ等の載置物が載置されたとしても第１のカット用目印を視認することができる。
【００２０】
同様に、台紙本体の載置物が載置される領域外に第２のカット用目印が設けられたことによって、台紙本体にケーキ等の載置物が載置されたとしても第２のカット用目印を視認することができる。
【００２１】
また、第１のカット用目印が１箇所のみに設けられると共に、第２のカット用目印が一のｎの値に対して１箇所のみ設けられたことによって、目印（第１のカット用目印及び第２のカット用目印）の数量を最小限に抑えることができる。
【００２２】
なお、第２のカット用目印が第１のカット用目印を起点として台紙本体の中心点となす角度が３６０×２ｍ／ｎ度であることによって、載置物をｎ等分することができる。
即ち、第１のカット用目印と台紙本体の中心点を結ぶ線で切断すると共に第２のカット用目印と台紙本体の中心点を結ぶ線で切断することで、載置物を２ｍ／ｎの大きさとすることができ、更に２ｍ等分することで載置物を１／ｎの大きさとすることができる。なお、偶数個に等分することは一般に容易であることを考慮すると、載置物を２ｍ等分することは困難ではないと言える。その後、１／ｎに切断された載置物の大きさを考慮し、残りの載置物を切断することで、載置物をｎ等分することができるのである。
【００２３】
また、上記の目的を達成するために、本発明に係る台紙は、方形状の台紙本体と、該台紙本体の載置物が載置される領域外であり、前記載置物の端部から同載置物の長さの２ｍ／ｎ（ｎは５以上の奇数であり、ｍは自然数である。但し、２ｍ＜ｎ−１  を満たす。）に相当する位置に設けられると共に、一のｎの値に対して１箇所のみ設けられたカット用目印とを備える。
【００２４】
ここで、台紙本体の載置物が載置される領域外にカット用目印が設けられたことによって、台紙本体に載置物が載置されたとしてもカット用目印を視認することができる。
【００２５】
また、カット用目印が一のｎの値に対して１箇所のみ設けられたことによって、カット用目印の数量を最小限に抑えることができる。
【００２６】
なお、カット用目印が載置物の端部から同載置物の長さの２ｍ／ｎに相当する位置に設けられたことによって、載置物をｎ等分することができる。
即ち、カット用目印で切断することで載置物を２ｍ／ｎの大きさとすることができ、更に２ｍ等分することで載置物を１／ｎの大きさとすることができる。なお、偶数個に等分することは一般に容易であることを考慮すると、載置物を２ｍ等分することは困難ではないと言える。その後、１／ｎに切断された載置物の大きさを考慮し、残りの載置物を切断することで、載置物をｎ等分することができるのである。
【００２７】
また、上記の目的を達成するために、本発明に係る台紙は、円形状の台紙本体と、該台紙本体の載置物が載置される領域外に１箇所のみ設けられた第１のカット用目印と、前記台紙本体の載置物が載置される領域外に設けられ、前記第１のカット用目印を起点として前記台紙本体の中心点となす角度が３６０×ｍ／ｎ度（ｎは３以上の整数であり、ｍは自然数である。但し、ｍ＜ｎ  を満たす。）であると共に、（ｎ−１）箇所に設けられた第２のカット用目印とを備える。
【００２８】
ここで、台紙本体の載置物が載置される領域外に第１のカット用目印が設けられたことによって、台紙本体にケーキ等の載置物が載置されたとしても第１のカット用目印を視認することができる。
【００２９】
同様に、台紙本体の載置物が載置される領域外に第２のカット用目印が設けられたことによって、台紙本体にケーキ等の載置物が載置されたとしても第２のカット用目印を視認することができる。
【００３０】
また、第１のカット用目印が１箇所のみに設けられたことによって、第１のカット用目印の数量を最小限に抑えることができる。即ち、ｎの値によらず、第１のカット用目印を共通化したことで、第１のカット用目印の数量を最小限に抑えることができるのである。
【００３１】
なお、第２のカット用目印が第１のカット用目印を起点として台紙本体の中心点となす角度が３６０×ｍ／ｎ度であると共に、（ｎ−１）箇所に設けられたことによって、載置物をｎ等分することができる。
即ち、第１のカット用目印及び第２のカット用目印と台紙本体の中心点を結ぶ線で切断することで、載置物をｎ等分することができるのである。
【００３２】
ところで、円形状や方形状の載置物を偶数個に等分することは一般に容易である一方で、奇数個に等分することは一般に困難である。そのために、目印の数量を最小限に抑える場合には、ｎは奇数に限定することが好ましい。
【発明の効果】
【００３３】
本発明の台紙によれば、見た目が良く、かつ人数に応じての切断ができる。
【図面の簡単な説明】
【００３４】
【図１】本発明を適用した円形状の台紙の一例を説明するための模式図である。
【図２】本発明を適用した方形状の台紙の一例を説明するための模式図である。
【図３】本発明を適用した円形状の台紙の他の例を説明するための模式図である。
【図４】本発明を適用した方形状の台紙の他の例を説明するための模式図である。
【図５】本発明を適用した円形状の台紙の更に他の例を説明するための模式図である。
【図６】従来のケーキ用としての台紙の一例を説明するための模式図である。
【発明を実施するための形態】
【００３５】
以下、本発明の実施の形態を図面を参酌しながら説明し、本発明の理解に供する。
【００３６】
＜第１の実施の形態＞
図１（図１（Ａ）は本発明を適用した円形状の台紙の一例を説明するための平面模式図を示し、図１（Ｂ）は本発明を適用した円形状の台紙の一例において５等分をする場合を説明するための平面模式図を示し、図１（Ｃ）は本発明を適用した円形状の台紙の一例において３等分をする場合を説明するための平面模式図を示す。）は本発明を適用した円形状の台紙の一例を説明するための模式図である。
【００３７】
ここで示す台紙１は、図１（Ａ）に示すように、円形状の厚紙で形成された台紙本体２と、この台紙本体２に設けられた第１のカット用目印６と第２のカット用目印８、８Ａとから構成されている。
【００３８】
ここで、台紙本体２は、載置されるケーキ（図示せず。）の直径よりも大きな直径を有する様に構成されている。また、ケーキが載置される面にはラミネート加工が施されている。
【００３９】
また、台紙本体２の中心に、ケーキ（図示せず。）を係止させるための係止部材３が取り付けられている。この係止部材３は、平板状の金属板を打ち抜き加工して複数の折り曲げ片１３が形成された構成とされている。
【００４０】
また、台紙本体２の外周には、台紙本体２をケーキ収納ケース（図示せず。）から引き出すための把持部４が設けられている。
【００４１】
また、第１のカット用目印６は、台紙本体２面に載置されるケーキ（図示せず。）の領域外である外周面５に、例えば、印刷、パンチングあるいは窪み等で目視できるように設けられている。
【００４２】
また、第２のカット用目印８は、第１のカット用目印６を起点として台紙本体２の中心点９となす角度が７２度となる位置に設けられている。換言すると、第１のカット用目印６と台紙本体２の中心点９とを結ぶ直線と、第２のカット用目印８と台紙本体２の中心点９とを結ぶ直線とが７２度となる様に、第２のカット用目印８を設けている。なお、第２のカット用目印８は、外周面５に１箇所のみ、例えば、印刷、パンチングあるいは窪み等で目視できるように設けられている。
【００４３】
更に、第２のカット用目印８Ａは、第１のカット用目印６を起点として台紙本体２の中心点９となす角度が１２０度となる位置に設けられている。換言すると、第１のカット用目印６と台紙本体２の中心点９とを結ぶ直線と、第２のカット用目印８Ａと台紙本体２の中心点９とを結ぶ直線とが１２０度となる様に、第２のカット用目印８Ａを設けている。なお、第２のカット用目印８Ａは、外周面５に１箇所のみ、例えば、印刷、パンチングあるいは窪み等で目視できるように設けられている。
【００４４】
ここで、本実施の形態では、ケーキＡを５等分する場合（ｎ＝５の場合）と、ケーキＡを３等分する場合（ｎ＝３の場合）とを考慮して、第２のカット用目印８、８Ａを設けたものを例に挙げて説明を行っているが、ケーキＡの分割数は必ずしも５や３である必要はなく、いかなる等分数であっても良い。
【００４５】
また、本実施の形態では、第１のカット用目印６から時計回り方向に所定角度をなす位置に第２のカット用目印８、８Ａが位置する場合を例に挙げて説明を行っているが、第２のカット用目印８は第１のカット用目印６から時計回り方向に所定角度をなす一方で、第２のカット用目印８Ａは第１のカット用目印６から反時計回り方向に所定角度をなしても良い。
【００４６】
また、本実施の形態では、ケーキＡを５等分や３等分する場合を例に挙げて説明を行っているが、ケーキＡの等分数は必ずしも奇数に限られるものではない。
しかしながら、一般にケーキＡを偶数個に等分することはそれほど困難ではない反面、ケーキＡを奇数個に等分することは困難である。そのために、第２のカット用目印の数量を最小限に抑え、台紙本体２の見た目を良くすることを考慮すると、偶数個に等分するための第２のカット用目印は省略し、奇数個に等分するための第２のカット用目印のみを形成する方が好ましい。
【００４７】
また、本実施の形態では、載置物としてデコレーションケーキを例に挙げて説明を行っているが、載置物は必ずしもデコレーションケーキである必要はない。
例えば、バームクーヘン等のように環状の菓子やピザなどの調理食材など円形状のものであればいかなる食材であっても構わない。
なお、印刷等の目印（第１のカット用目印及び第２のカット用目印）の数量を最小限に抑え、台紙本体２の見た目を良くすることができるといった点を考慮すると、デコレーションケーキ等の外観が重視される載置物への本発明の適用が好ましいと言える。
【００４８】
以上の様に構成された台紙１に載置されたデコレーションケーキＡの切断について、以下説明を行う。
具体的には、台紙本体２の略中央に直角状に折り曲げられた折り曲げ片にその底部中心が差し込まれた状態で、台紙本体２の上に載置されたデコレーションケーキＡを等分に切断する場合について説明を行う。
【００４９】
［５等分に切り分ける場合］（図１（Ｂ）参照）
デコレーションケーキＡを５等分に切り分ける場合には、先ず、外周面５に付された第１のカット用目印６から台紙本体２の中心点９に向けてケーキ用ナイフ（図示せず。）等でデコレーションケーキＡを切断する。
【００５０】
次に、外周面５に付された第２のカット用目印８から台紙本体２の中心点９に向けてケーキ用ナイフ（図示せず。）等でデコレーションケーキＡを切断する。
【００５１】
これにより、デコレーションケーキＡが１／５の大きさに切り分けられる。続いて、この１／５の大きさのデコレーションケーキＡを目安として、その残りを図中想像線で示すように、４等分に切断する。そうすることで、デコレーションケーキＡを５等分に切り分けることができる。
【００５２】
［３等分に切り分ける場合］（図１（Ｃ）参照）
デコレーションケーキＡを３等分に切り分ける場合には、先ず、外周面５に付された第１のカット用目印６から台紙本体２の中心点９に向けてケーキ用ナイフ（図示せず。）等でデコレーションケーキＡを切断する。
【００５３】
次に、外周面５に付された第２のカット用目印８Ａから台紙本体２の中心点９に向けてケーキ用ナイフ（図示せず。）等でデコレーションケーキＡを切断する。
【００５４】
これにより、デコレーションケーキＡが１／３の大きさに切り分けられる。続いて、この１／３の大きさのデコレーションケーキＡを目安として、その残りを図中想像線で示すように、２等分に切断する。そうすることで、デコレーションケーキＡを３等分に切り分けることができる。
【００５５】
上記した［５等分に切り分ける場合］［３等分に切り分ける場合］で説明した様に、本発明を適用した台紙では、例えば、デコレーションケーキを、３等分や５等分等の奇数等分とするときに、等分しようとするケーキの１ピースを切り分け、この１ピースのケーキの大きさを目安にケーキを等分に容易に切り分けることが可能となる。
【００５６】
また、一の等分に対して１箇所のみ第２のカット用目印を設けることで、目印の数量を最小限に抑えることができ、見た目も良い。
【００５７】
＜第２の実施の形態＞
図２（図２（Ａ）は本発明を適用した方形状の台紙の一例を説明するための平面模式図を示し、図２（Ｂ）は本発明を適用した方形状の台紙の一例において５等分する場合を説明するための平面模式図を示し、図２（Ｃ）は本発明を適用した方形状の台紙の一例において３等分する場合を説明するための平面模式図を示す。）は本発明を適用した方形状の台紙の一例を説明するための模式図である。
【００５８】
ここで示す台紙１０は、図２（Ａ）に示すように、長方形の厚紙で形成された台紙本体２Ａと、この台紙本体２Ａに設けられたカット用目印１２、１２Ａとから構成されている。
【００５９】
ここで、台紙本体２Ａは、その長手方向長さがケーキ（図示せず。）の長さ以上とされると共に、その短手方向長さがケーキの幅長さ以上となる様に構成されている。また、ケーキ（図示せず。）が載置される面にはラミネート加工が施されている。
【００６０】
また、台紙本体２Ａの長手方向に沿った一方の辺１１には、ケーキ載置用目印１４が設けられている。なお、ケーキ載置用目印１４は、例えば、印刷、パンチングあるいは窪み等で目視できるように設けられている。
【００６１】
また、カット用目印１２は、ケーキ載置用目印１４を起点としてケーキ長さの５分の１に相当する位置に設けられている。なお、カット用目印１２は、台紙本体２Ａ面に載置されるケーキ（図示せず。）の領域外である一方の辺１１に１箇所のみ、例えば、印刷、パンチングあるいは窪み等で目視できるように設けられている。
【００６２】
更に、カット用目印１２Ａは、ケーキ載置用目印１４を起点としてケーキ長さの３分の１に相当する位置に設けられている。なお、カット用目印１２Ａは、台紙本体２Ａ面に載置されるケーキ（図示せず。）の領域外である一方の辺１１に１箇所のみ、例えば、印刷、パンチングあるいは窪み等で目視できるように設けられている。
【００６３】
ここで、本実施の形態では台紙本体２Ａにケーキ載置用目印１４を設けたものを例に挙げて説明を行っているが、ケーキ載置用目印１４は台紙本体２にケーキを載置する際の便宜を図るものであり、必ずしも設ける必要はない。
例えば、ケーキ載置用目印１４を設けなかったとしても、所定の位置にケーキを載置ことができる場合には、ケーキ載置用目印を設ける必要は無い。
【００６４】
また、本実施の形態では一方の辺１１のみにカット用目印１２、１２Ａを設けたものを例に挙げて説明を行っているが、カット用目印１２、１２Ａは必ずしも一方の辺１１のみに設ける必要はない。
例えば、相対する他方の辺１１Ａにも一方の辺１１と同様に、カット用目印１２、１２Ａを設けたものであっても構わない。
【００６５】
また、本実施の形態では、ロールケーキＢを５等分する場合（ｎ＝５の場合）と、ロールケーキＢを３等分する場合（ｎ＝３の場合）とを考慮して、カット用目印１２、１２Ａを設けたものを例に挙げて説明を行っているが、ロールケーキＢの分割数は必ずしも５や３である必要はなく、いかなる等分数であっても良い。
【００６６】
また、本実施の形態では、ロールケーキＢを５等分や３等分する場合を例に挙げて説明を行っているが、ロールケーキＢの等分数は必ずしも奇数に限られるものではない。
しかしながら、一般にロールケーキＢを偶数個に等分することはそれほど困難ではない反面、ロールケーキＢを奇数個に等分することは困難である。そのために、カット用目印の数量を最小限に抑え、台紙本体２Ａの見た目を良くすることを考慮すると、偶数個に等分するためのカット用目印は省略し、奇数個に等分するためのカット用目印のみを形成する方が好ましい。
【００６７】
また、本実施の形態では、載置物としてロールケーキを例に挙げて説明を行っているが、載置物は必ずしもロールケーキである必要はない。
例えば、カステラ等のように長方形状の菓子やケーキ以外で等分に切り分ける必要がある食材など方形状のものであればいかなる食材であっても構わない。
【００６８】
以下の様に構成された台紙１０に載置されたロールケーキＢの切断について、以下説明を行う。
具体的には、台紙本体２Ａのケーキ載置用目印１４にロールケーキＢの短手方向の一端が同位置となるように台紙本体２Ａの上に載置されたロールケーキＢを等分に切断する場合について説明を行う。
【００６９】
［５等分に切り分ける場合］（図２（Ｂ）参照）
ロールケーキＢを５等分に切り分ける場合には、先ず、一方の辺１１に付されたカット用目印１２から台紙本体２Ａの他方の辺１１Ａに向けてケーキ用ナイフ（図示せず。）等でロールケーキＢを直交するように切断する。
【００７０】
これにより、ロールケーキＢが１／５の大きさに切り分けられる。続いて、この１／５の大きさのロールケーキＢを目安として、その残りを図中想像線で示すように、４等分に切断する。そうすることで、ロールケーキＢを５等分に切り分けることができる。
【００７１】
［３等分に切り分ける場合］（図２（Ｃ）参照）
ロールケーキＢを３等分に切り分ける場合には、先ず、一方の辺１１に付されたカット用目印１２Ａから台紙本体２Ａの他方の辺１１Ａに向けてケーキ用ナイフ（図示せず。）等でロールケーキＢを直交するように切断する。
【００７２】
これにより、ロールケーキＢが１／３の大きさに切り分けられる。続いて、この１／３の大きさのロールケーキＢを目安として、その残りを図中想像線で示すように、２等分に切断する。そうすることで、ロールケーキＢを３等分に切り分けることができる。
【００７３】
上記した［５等分に切り分ける場合］［３等分に切り分ける場合］で説明した様に、本発明を適用した台紙では、例えば、ロールケーキを、３等分や５等分等の奇数等分とするときに、等分しようとするケーキの１ピースを切り分け、この１ピースのケーキの大きさを目安にケーキを等分に容易に切り分けることが可能となる。
【００７４】
また、一の等分に対して１箇所のみカット用目印を設けることで、目印の数量を最小限に抑えることができ、見た目も良い。
【００７５】
＜第３の実施の形態＞
図３（図３（Ａ）は本発明を適用した円形状の台紙の他の例を説明するための平面模式図を示し、図３（Ｂ）は本発明を適用した円形状の台紙の他の例における５等分を説明するための平面模式図を示し、図３（Ｃ）は本発明を適用した円形状の台紙の他の例における７等分を説明するための平面模式図を示す。）は本発明を適用した円形状の台紙の他の例を説明するための模式図である。
【００７６】
ここで示す台紙１Ａは、図３（Ａ）に示すように、円形状の厚紙で形成された台紙本体２Ｂと、この台紙本体２Ｂに設けられた第１のカット用目印６Ａと、第２のカット用目印１８、１８Ａとから構成されている。
【００７７】
ここで、台紙本体２Ｂは、載置されるケーキ（図示せず。）の直径よりも大きな直径を有する様に構成されている。また、ケーキが載置される面にはラミネート加工が施されている。
【００７８】
また、台紙本体２Ｂの中心に、ケーキ（図示せず。）を係止させるための係止部材３が取り付けられている。この係止部材３は、平板状の金属板を打ち抜き加工して複数の折り曲げ片１３が形成された構成とされている。
【００７９】
また、台紙本体２Ｂの外周には、台紙本体２Ｂをケーキ収納ケース（図示せず。）から引き出すための把持部４が設けられている。
【００８０】
また、第１のカット用目印６Ａは、台紙本体２Ｂ面に載置されるケーキ（図示せず。）の領域外である外周面５に、例えば、印刷、パンチングあるいは窪み等で目視できるように設けられている。
【００８１】
また、第２のカット用目印１８は、第１のカット用目印６Ａを起点として台紙本体２Ｂの中心点９となす角度が１４４度（３６０度の２／５）となる位置に設けられている。換言すると、第１のカット用目印６Ａと台紙本体２Ｂの中心点９とを結ぶ直線と、第２のカット用目印１８と台紙本体２Ｂの中心点９とを結ぶ直線とが１４４度（３６０度の２／５）となる様に、第２のカット用目印１８を設けている。なお、第２のカット用目印１８は、外周面５に１箇所のみ、例えば、印刷、パンチングあるいは窪み等で目視できるように設けられている。
【００８２】
更に、第２のカット用目印１８Ａは、第１のカット用目印６Ａを起点として台紙本体２Ｂの中心点９となす角度が約２０５．７度（３６０度の４／７）となる位置に設けられている。換言すると、第１のカット用目印６Ａと台紙本体２Ｂの中心点９とを結ぶ直線と、第２のカット用目印１８Ａと台紙本体２Ｂの中心点９とを結ぶ直線とが約２０５．７度（３６０度の４／７）となる様に、第２のカット用目印１８Ａを設けている。なお、第２のカット用目印１８Ａは、外周面５に１箇所のみ、例えば、印刷、パンチングあるいは窪み等で目視できるように設けられている。
【００８３】
ここで、本実施の形態では、ケーキＡを５等分する場合（ｎ＝５の場合）と、ケーキＡを７等分する場合（ｎ＝７の場合）とを考慮して、第２のカット用目印１８、１８Ａを設けたものを例に挙げて説明を行っているが、ケーキＡの分割数は必ずしも５や７である必要はなく、いかなる等分数であっても良い。
【００８４】
また、本実施の形態では、第１のカット用目印６Ａから時計回り方向に所定角度をなす位置に第２のカット用目印１８、１８Ａが位置する場合を例に挙げて説明を行っているが、第２のカット用目印１８は第１のカット用目印６Ａから時計回り方向に所定角度をなす一方で、第２のカット用目印１８Ａは第１のカット用目印６Ａから反時計回り方向に所定角度をなしても良い。
【００８５】
また、本実施の形態では、載置物としてデコレーションケーキを例に挙げて説明を行っているが、載置物は必ずしもデコレーションケーキである必要はない。
例えば、バームクーヘン等のように環状の菓子やピザなどの調理食材など円形状のものであればいかなる食材であっても構わない。
なお、印刷等の目印（第１のカット用目印及び第２のカット用目印）の数量を最小限に抑え、台紙本体２の見た目を良くすることができるといった点を考慮すると、デコレーションケーキ等の外観が重視される載置物への本発明の適用が好ましいと言える。
【００８６】
以上の様に構成された台紙１Ａに載置されたデコレーションケーキＡの切断について、以下説明を行う。
具体的には、台紙本体２Ｂの略中央に直角状に折り曲げられた折り曲げ片に、その底面中心が差し込まれた状態で、台紙本体２Ｂ上に載置されたデコレーションケーキＡを等分する場合について説明を行う。
【００８７】
［５等分に切り分ける場合］（図３（Ｂ）参照）
デコレーションケーキＡを５等分に切り分ける場合には、先ず、外周面５に付された第１のカット用目印６Ａから台紙本体２Ｂの中心点９に向けてケーキ用ナイフ（図示せず。）等でデコレーションケーキＡを切断する。
【００８８】
次に、外周面５に付された第２のカット用目印１８から台紙本体２Ｂの中心点９に向けてケーキ用ナイフ（図示せず。）等でデコレーションケーキＡを切断する。
【００８９】
これにより、デコレーションケーキＡが２／５の大きさに切り分けられる。続いて、この２／５の大きさのデコレーションケーキＡを図中想像線で示すように、２等分に切断する。そうすることで、デコレーションケーキＡを１／５の１の大きさに切り分けることができる。更に、１／５の大きさのデコレーションケーキＡを目安として、その残りを３等分に切断することで、デコレーションケーキＡを５等分に切り分けることができる。
【００９０】
［７等分に切り分ける場合］（図３（Ｃ）参照）
デコレーションケーキＡを７等分に切り分ける場合には、先ず、外周面５に付された第１のカット用目印６Ａから台紙本体２Ｂの中心点９に向けてケーキ用ナイフ（図示せず。）等でデコレーションケーキＡを切断する。
【００９１】
次に、外周面５に付された第２のカット用目印１８Ａから台紙本体２Ｂの中心点９に向けてケーキ用ナイフ（図示せず。）等でデコレーションケーキＡを切断する。
【００９２】
これにより、デコレーションケーキＡが４／７の大きさに切り分けられる。続いて、この４／７の大きさのデコレーションケーキＡを図中想像線で示すように、２等分し、更に２等分に切断する。そうすることでデコレーションケーキＡを１／７の大きさに切り分けることができる。更に、１／７の大きさのデコレーションケーキＡを目安として、その残りを３等分に切断することで、デコレーションケーキＡを７等分に切り分けることができる。
【００９３】
上記した［５等分に切り分ける場合］［７等分に切り分ける場合］で説明した様に、本発明を適用した台紙では、例えば、デコレーションケーキを、５等分や７等分等の奇数等分とするときに、先ず、デコレーションケーキを偶数領域と奇数領域に切断し、等分し易い偶数領域からケーキの１ピースを切り分け、この１ピースのケーキの大きさを目安に奇数領域のケーキを等分に容易に切り分けることが可能となる。
【００９４】
また、一の等分に対して１箇所のみ第２のカット用目印を設けることで、目印の数量を最小限に抑えることができ、見た目も良い。
【００９５】
＜第４の実施の形態＞
図４（図４（Ａ）は本発明を適用した方形状の台紙の他の例を説明するための平面模式図を示し、図４（Ｂ）は本発明を適用した方形状の台紙の他の例における５等分を説明するための平面模式図を示し、図４（Ｃ）は本発明を適用した方形状の台紙の他の例における７等分を説明するための平面模式図を示し。）は本発明を適用した方形状の台紙の他の例を説明するための模式図である。
【００９６】
ここで示す台紙１０Ａは、図４（Ａ）に示すように、長方形の厚紙で形成された台紙本体２Ｃと、この台紙本体２Ｃに設けられたカット用目印２２、２２Ａとから構成されている。
【００９７】
ここで、台紙本体２Ｃは、その長手方向長さがケーキ（図示せず。）の長さ以上とされると共に、その短手方向長さがケーキの幅長さ以上となる様に構成されている。また、ケーキ（図示せず。）が載置される面にはラミネート加工が施されている。
【００９８】
また、台紙本体２Ｃの長手方向に沿った一方の辺１１に、ケーキ載置用目印１４が設けられている。なお、ケーキ載置用目印１４は、例えば、印刷、パンチングあるいは窪み等で目視できるように設けられている。
【００９９】
また、カット用目印２２は、ケーキ載置用目印１４を起点としてケーキ長さの５分の２に相当する位置に設けられている。なお、カット用目印２２は、台紙本体２Ｃ面に載置されるケーキ（図示せず。）の領域外である一方の辺１１に１箇所のみ、例えば、印刷、パンチングあるいは窪み等で目視できるように設けられている。
【０１００】
更に、カット用目印２２Ａは、ケーキ載置用目印１４を起点としてケーキ長さの７分の４に相当する位置に設けられている。なお、カット用目印２２Ａは、台紙本体２Ｃ面に載置されるケーキ（図示せず。）の領域外である一方の辺１１に１箇所のみ、例えば、印刷、パンチングあるいは窪み等で目視できるように設けられている。
【０１０１】
ここで、本実施の形態では、ロールケーキＢを５等分する場合（ｎ＝５の場合）と、ロールケーキＢを７等分する場合（ｎ＝７の場合）とを考慮して、カット用目印２２、２２Ａを設けたものを例に挙げて説明を行っているが、ロールケーキＢの分割数は必ずしも５や７である必要はなく、いかなる等分数であっても良い。
【０１０２】
また、本実施の形態では台紙本体２Ｃにケーキ載置用目印１４を設けものを例に挙げて説明を行っているが、必ずしもケーキ載置用目印を設ける必要は無い点は、上記した第２の実施の形態と同様である。
【０１０３】
また、本実施の形態では一方の辺１１のみにカット用目印２２、２２Ａを設けたものを例に挙げて説明を行っているが、カット用目印２２、２２Ａは必ずしも一方の辺１１のみに設ける必要はない。
例えば、相対する他方の辺１１Ａにも一方の辺１１と同様に、カット用目印２２、２２Ａを設けた構成であっても構わない。
【０１０４】
また、本実施の形態では、載置物としてロールケーキを例に挙げて説明を行っているが、載置物は必ずしもロールケーキである必要はない。
例えば、カステラ等のように長方形状の菓子やケーキ以外で等分に切り分ける必要がある食材など方形状のものであればいかなる食材であっても構わない。
【０１０５】
以下の様に構成された台紙１０Ａに載置されたロールケーキＢの切断について、以下説明を行う。
具体的には、台紙本体２Ｃのケーキ載置用目印１４にロールケーキＢの短手方向の一端が同位置となるように台紙本体２Ｃの上に載置されたロールケーキＢを等分する場合について説明を行う。
【０１０６】
［５等分に切り分ける場合］（図４（Ｂ）参照）
ロールケーキＢを５等分に切り分ける場合には、先ず、一方の辺１１に付されたカット用目印２２から台紙本体２Ｃの他方の辺１１Ａに向けてケーキ用ナイフ（図示せず。）等でロールケーキＢを直交するように切断する。
【０１０７】
これにより、ロールケーキＢが２／５の大きさに切り分けられる。続いて、この２／５の大きさのロールケーキＢを図中想像線で示すように２等分切断する。そうすることで、ロールケーキＢが１／５の大きさに切り分けられる。更に、この１／５の大きさのロールケーキＢを目安として、残りを３等分に切断することでロールケーキＢを５等分に切り分けることができる。
【０１０８】
［７等分に切り分ける場合］（図４（Ｃ）参照）
ロールケーキＢを７等分に切り分ける場合には、先ず、一方の辺１１に付されたカット用目印２２Ａから台紙本体２Ｃの他方の辺１１Ａに向けてケーキ用ナイフ（図示せず。）等でロールケーキＢを直交するように切断する。
【０１０９】
これにより、ロールケーキＢが４／７の大きさに切り分けられる。続いて、この４／７の大きさのロールケーキＢを図中想像線で示すように、２等分し、更に２等分に切断する。そうすることで、ロールケーキＢが１／７の大きさに切り分けられる。更に、この１／７の大きさのロールケーキＢを目安として、残りを３等分に切断することでロールケーキＢを７等分に切り分けることができる。
【０１１０】
上記した［５等分に切り分ける場合］［７等分に切り分ける場合］で説明した様に、本発明を適用した台紙では、例えば、ロールケーキを、５等分や７等分等の奇数等分とするときに、先ず、デコレーションケーキを偶数領域と奇数領域に切断し、等分し易い偶数領域からケーキの１ピースを切り分け、この１ピースのケーキの大きさを目安に奇数領域のケーキを等分に容易に切り分けることが可能となる。
【０１１１】
また、一の等分に対して１箇所のみ第２のカット用目印を設けることで、目印の数量を最小限に抑えることができ、見た目も良い。
【０１１２】
＜第５の実施の形態＞
図５（図５（Ａ）は本発明を適用した円形状の台紙の更に他の例を説明するための平面模式図を示し、図５（Ｂ）は本発明を適用した円形状の台紙の更に他の例における５等分を説明するための平面模式図を示し、図５（Ｃ）は本発明を適用した円形状の台紙の更に他の例における７等分を説明するための平面模式図を示す。）は本発明を適用した円形状の台紙の他の例を説明するための模式図である。
【０１１３】
ここで示す台紙１Ｂは、図５（Ａ）に示すように、円形状の厚紙で形成された台紙本体２Ｄと、この台紙本体２Ｄに設けられた第１のカット用目印２５と、第２のカット用目印２６、２６Ａとから構成されている。
【０１１４】
ここで、台紙本体２Ｄは、載置されるケーキ（図示せず。）の直径よりも大きな直径を有する様に構成されている。また、ケーキが載置される面にはラミネート加工が施されている。
【０１１５】
また、台紙本体２Ｄの中心に、ケーキ（図示せず。）を係止させるための係止部材３が取り付けられている。この係止部材３は、平板状の金属板を打ち抜き加工して複数の折り曲げ片１３が形成された構成とされている。
【０１１６】
また、台紙本体２Ｄの外周には、台紙本体２Ｄをケーキ収納ケース（図示せず。）から引き出すための把持部４が設けられている。
【０１１７】
また、第１のカット用目印２５は、台紙本体２Ｄ面に載置されるケーキ（図示せず）の領域外である外周面５に、例えば、印刷、パンチングあるいは窪み等で目視できるように設けられている。
【０１１８】
また、第２のカット用目印２６は、第１のカット用目印２５を起点として台紙本体２Ｄの中心点９となす角度が７２度（３６０度の１／５）、１４４度（３６０度の２／５）、２１６度（３６０度の３／５）、２８８度（３６０度の４／５）となる位置に設けられている。なお、第２のカット用目印２６は、外周面５に４箇所、例えば、印刷、パンチングあるいは窪み等で目視できるように設けられている。
【０１１９】
更に、第２のカット用目印２６Ａは、第１のカット用目印２５を起点として台紙本体２Ｄの中心点９となす角度が約５１．４度（３６０度の１／７）、約１０２．９度（３６０度の２／７）、約１５４．３度（３６０度の３／７）、約２０５．７度（３６０度の４／７）、約２５７．１度（３６０度の５／７）、約３０８．６度（３６０度の６／７）となる位置に設けられている。なお、第２のカット用目印２６Ａは、外周面５に６箇所、例えば、印刷、パンチングあるいは窪み等で目視できるように設けられている。
【０１２０】
ここで、本実施の形態では、ケーキＡを５等分する場合（ｎ＝５の場合）と、ケーキＡを７等分する場合（ｎ＝７の場合）とを考慮して、第２のカット用目印２６、２６Ａを設けたものを例に挙げて説明を行っているが、ケーキＡの分割数は必ずしも５や７である必要はなく、いかなる等分数であっても良い。
【０１２１】
また、本実施の形態では、載置物としてデコレーションケーキを例に挙げて説明を行っているが、載置物は必ずしもデコレーションケーキである必要はない。
例えば、バームクーヘン等のように環状の菓子やピザなどの調理食材など円形状のものであればいかなる食材であっても構わない。
【０１２２】
以上の様に構成された台紙１Ｂに載置されたデコレーションケーキＡの切断について、以下説明を行う。
具体的には、台紙本体２Ｄの略中央に直角状に折り曲げられた折り曲げ片に、その底面中心が差し込まれた状態で、台紙本体２Ｄ上に載置されたデコレーションケーキＡを等分する場合について説明を行う。
【０１２３】
［５等分に切り分ける場合］（図５（Ｂ）参照）
デコレーションケーキＡを５等分に切り分ける場合には、外周面５に付された第１のカット用目印２５から台紙本体２Ｄの中心点９に向けてケーキ用ナイフ（図示せず）等でデコレーションケーキＡを切断すると共に、第２のカット用目印２６から台紙本体２Ｄの中心点９に向けてケーキ用ナイフ（図示せず。）等でデコレーションケーキＡを切断する。これにより、デコレーションケーキＡを１／５の大きさごとに切り分けることができる。
【０１２４】
［７等分に切り分ける場合］（図５（Ｃ）参照）
デコレーションケーキＡを７等分に切り分ける場合には、外周面５に付された第１のカット用目印２５から台紙本体２Ｄの中心点９に向けてケーキ用ナイフ（図示せず）等でデコレーションケーキＡを切断すると共に、第２のカット用目印２６Ａから台紙本体２Ｄの中心点９に向けてケーキ用ナイフ（図示せず。）等でデコレーションケーキＡを切断する。これにより、デコレーションケーキＡを１／７の大きさごとに切り分けることができる。
【０１２５】
上記した［５等分に切り分ける場合］［７等分に切り分ける場合］で説明した様に、本発明を適用した台紙では、例えば、デコレーションケーキを、５等分や７等分とするときに、第１のカット用目印及び第２のカット用目印から台紙本体の中心点に向けてデコレーションケーキを切断することでケーキを等分に容易に切り分けることが可能となる。
【０１２６】
また、第１のカット用目印が［５等分に切り分ける場合］と［７等分に切り分ける場合］の双方に共通しているために、目印の数量を最小限に抑えることができ、見た目も良い。
【符号の説明】
【０１２７】
１、１Ａ、１Ｂ、１０、１０Ａ        台紙
２、２Ａ、２Ｂ、２Ｃ、２Ｄ          台紙本体
３        係止部材
４        把持部
５        外周面
６、６Ａ、２５  第１のカット用目印
８、８Ａ、１８、１８Ａ、２６、２６Ａ  第２のカット用目印
９        中心点
１１      一方の辺
１１Ａ    他方の辺
１２、１２Ａ、２２、２２Ａ、      カット用目印
１３      折り曲げ片
１４      ケーキ載置用目印
【図１】
2014037256.tif 000003
【図２】
2014037256.tif 000004
【図３】
2014037256.tif 000005
【図４】
2014037256.tif 000006
【図５】
2014037256.tif 000007
【図６】
2014037256.tif 000008